(57)【要約】【課題】フロント側で設定中の再生モードがリア側の操作で切り換えられてしまう。【解決手段】ＣＤモード、ＡＭモード及びＦＭモード等の複数の再生モードを選択する再生モード設定部３３と、フロント側又はリア側の所定操作に応じて、複数の再生モードの内、任意の再生モードを選択すべく、再生モード設定部を制御する制御部４１とを有するデュアルメディア機能を備えた本体装置２であって、制御部は、デュアルモードでフロント側がＡＭモード中に、リア側でＦＭモードを選択要求する操作を検出すると、フロント側のＡＭモードがＦＭモードに切り換えられないように、リア側のＦＭモード選択を禁止するようにした。【選択図】　図３
2004118941.tif 000002
【特許請求の範囲】
【請求項１】
複数の再生源と、各再生源からの再生信号を出力する複数の出力手段と、前記複数の再生源の内、任意の再生源を選択する選択手段と、所定操作に応じて、前記出力手段に出力すべき再生信号を出力する任意の再生源を選択すべく、前記選択手段を制御する制御手段とを有する再生装置であって、
前記制御手段は、
前記複数の再生源の内、任意の再生源を選択し、この選択した再生源からの再生信号を前記複数の出力手段の内、任意の出力手段に出力させるための所定操作を検出すると、この所定操作に関わる任意の再生源を選択することで、この所定操作に関わる任意の出力手段以外の出力手段から出力されるべき再生信号に変動が生じるか否かを判定する変動判定手段と、
この変動判定手段にて再生信号に変動が生じると判定されると、前記所定操作に関わる任意の再生源への切換選択を禁止する選択禁止手段とを有することを特徴とする再生装置。
【請求項２】
複数の放送帯域の放送を受信可能とする放送受信手段を含む複数の再生源と、各再生源からの再生信号を出力する複数の出力手段と、前記複数の再生源の内、任意の再生源を選択すると共に、前記複数の放送帯域の内、前記放送受信手段が受信する放送帯域を選択する選択手段と、所定操作に応じて、前記複数の出力手段の内、任意の出力手段に出力すべき、任意の放送帯域の再生信号を選択すべく、前記選択手段を制御する制御手段とを有する再生装置であって、
前記制御手段は、
前記所定操作を検出すると、この所定操作に関わる任意の出力手段以外の出力手段に出力すべき再生信号が前記放送受信手段からの再生信号の場合、この放送受信手段に関わる放送帯域の切換選択動作を禁止するように、前記選択手段を制御することを特徴とする再生装置。
【請求項３】
前記制御手段は、
前記所定操作を検出すると、この所定操作に関わる任意の出力手段以外の出力手段に出力すべき再生信号が前記放送受信手段からの放送帯域の再生信号の場合、この放送帯域を切り換える、前記所定操作に関わる任意の放送帯域への切換選択動作を禁止するように、前記選択手段を制御することを特徴とする請求項２記載の再生装置。
【請求項４】
前記複数の出力手段の内、少なくとも一の出力手段はスピーカ、前記複数の出力手段の内、少なくとも一の出力手段はヘッドホンであることを特徴とする請求項１、２又は３記載の再生装置。
【請求項５】
前記放送受信手段は、
ＡＭ放送帯域のＡＭ放送及びＦＭ放送帯域のＦＭ放送を受信可能とするＡＭ／ＦＭ放送受信機であることを特徴とする請求項２、３又は４記載の再生装置。
【発明の詳細な説明】
【０００１】
【発明の属する技術分野】
本発明は、例えばＣＤ、ＭＤ、ＤＶＤ等の記録媒体の再生機能やＡＭ／ＦＭラジオ放送等の受信機能を有する複数の再生源と、各再生源からの再生信号を音声出力するスピーカ及びヘッドホン等の出力手段とを有し、これらスピーカ及びヘッドホン双方で異なる再生源からの再生信号を同時に音声出力することができる機能、例えばデュアルメディア機能を備えたオーディオ装置等の再生装置に関する。
【０００２】
【従来の技術】
近年、このようなデュアルメディア機能を備えたオーディオ装置としては、車載用オーディオシステムに適用されている。
【０００３】
図６は一般的なデュアルメディア機能を備えた車載用オーディオシステムの全体構成を示すシステム構成図である。
【０００４】
図６に示す車載用オーディオシステム１００は、車室内のフロント側に配置され、例えばＣＤ再生機能やＡＭ／ＦＭラジオ等の受信機能を含む複数の再生源を備えた本体装置１０１と、フロント側で本体装置１０１を操作するフロント側操作部１０２と、車室内のリア側で本体装置１０１を遠隔操作するリア側操作部１０３と、本体装置１０１と接続し、この本体装置１０１の再生源からの音声信号を音声出力するスピーカ１０４及びヘッドホン１０５とを有している。
【０００５】
スピーカ１０４は、フロント側に配置された２台のフロントスピーカ１０４Ａと、リア側に配置された２台のリアスピーカ１０４Ｂとで構成している。また、ヘッドホン１０５は、リア側に配置されるものとする。
【０００６】
また、再生源としては、ＣＤ再生部と、ＡＭ／ＦＭラジオ用チューナ部とを有し、このＡＭ／ＦＭラジオ用チューナ部は、ＡＭチューナ及びＦＭチューナを兼ねて、１台のチューナでＡＭ放送及びＦＭ放送を受信することができる。
【０００７】
尚、フロント側操作部１０２は、フロント側に配置された本体装置１０１の前面パネルに相当し、リア側操作部１０３は、リア側に配置されたリモコン操作部に相当するものである。
【０００８】
また、フロント側操作部１０２及びリア側操作部１０３には、複数の再生源の内、任意の再生源を選択する再生モード選択キーと、予め登録したラジオ放送局の受信周波数をワンタッチ操作で受信することができるプリセットキーとを有している。尚、再生モードとしては、再生源としてＣＤ再生部を動作選択するＣＤモードと、ＡＭ放送を受信するＡＭ／ＦＭラジオ用チューナ部を動作選択するＡＭモード、ＦＭ放送を受信するＡＭ／ＦＭラジオ用チューナ部を動作選択するＦＭモード等があげられる。
【０００９】
また、本体装置１０１では、デュアルメディア機能を有し、フロント側操作部１０２からの所定操作に応じて、システム設定モードとしてのシングルモード又はデュアルモードに切換設定可能である。
【００１０】
シングルモードとは、複数の再生源の内、一の再生源からの音声信号をスピーカ１０４からのみ音声出力する設定モードである。
【００１１】
デュアルモードとは、複数の再生源の内、一の再生源からの音声信号をスピーカ１０４で音声出力しながら、他の再生源からの音声信号をヘッドホン１０５で音声出力する設定モードである。
【００１２】
本体装置１０１では、例えばフロント側の搭乗者がＦＭモード、リア側の搭乗者がＣＤモードといったように異なる再生源からの音声信号の提供を求めた場合、フロント側操作部１０２を所定操作することでデュアルモードに設定し、フロント側ではＦＭ放送の音声信号をスピーカ１０４から音声出力し、リア側ではＣＤ再生部からの音声信号をヘッドホン１０５から音声出力することができる。
【００１３】
つまり、フロント側の搭乗者とリア側の搭乗者とは、スピーカ１０４及びヘッドホン１０５を通じて、夫々異なる再生源からの音声信号を受聴することができる。
【００１４】
このようなデュアルメディア機能を備えた車載用オーディオシステム１００によれば、フロント側操作部１０２の所定操作に応じてデュアルモードに設定可能とし、このデュアルモード中においては、スピーカ１０４及びヘッドホン１０５を通じて、異なる再生源からの音声信号をフロント側及びリア側に夫々提供するようにしたので、フロント側及びリア側の搭乗者は、夫々異なる再生源からの音声信号を受聴することができる。
【００１５】
【発明が解決しようとする課題】
しかしながら、上記一般的なデュアルメディア機能を備えた車載用オーディオシステム１００によれば、デュアルモード中において、例えばフロント側でＡＭモードを設定することでスピーカ１０４からＡＭ放送の再生信号を音声出力中に、リア側でＦＭモードが設定されると、１台のチューナでＡＭ及びＦＭチューナを兼用していることから、フロント側で設定中のＡＭモードがＦＭモードに切り換えられてしまう。
【００１６】
つまり、この車載用オーディオシステム１００によれば、所定操作（例えばリア側操作部のモード選択キーのキー操作）による、任意の出力手段（例えばリア側の出力手段であるヘッドホン１０５）へ出力すべき、再生信号（例えばＦＭ放送の再生信号）に関わる再生源（例えばＦＭモード）への切換選択（例えばモード切替選択）で、任意の出力手段（例えばリア側の出力手段であるヘッドホン１０５）以外の出力手段（例えばフロント側の出力手段であるスピーカ１０４）に出力すべき再生信号（例えばＡＭ放送の再生信号）が切り換えられてしまうといった変動が生じる。
【００１７】
本発明は上記点に鑑みてなされたものであり、その目的とするところは、所定操作に関わる任意の出力手段以外の出力手段に出力すべき再生信号が、この所定操作による再生源の切換選択で変動してしまうのを確実に防止することができる再生装置を提供することにある。
【００１８】
【課題を解決するための手段】
上記目的を達成するために本発明の再生装置は、複数の再生源と、各再生源からの再生信号を出力する複数の出力手段と、前記複数の再生源の内、任意の再生源を選択する選択手段と、所定操作に応じて、前記出力手段に出力すべき再生信号を出力する任意の再生源を選択すべく、前記選択手段を制御する制御手段とを有する再生装置であって、前記制御手段は、前記複数の再生源の内、任意の再生源を選択し、この選択した再生源からの再生信号を前記複数の出力手段の内、任意の出力手段に出力させるための所定操作を検出すると、この所定操作に関わる任意の再生源を選択することで、この所定操作に関わる任意の出力手段以外の出力手段から出力されるべき再生信号に変動が生じるか否かを判定する変動判定手段と、この変動判定手段にて再生信号に変動が生じると判定されると、前記所定操作に関わる任意の再生源への切換選択を禁止する選択禁止手段とを有するようにした。
【００１９】
従って、本発明の再生装置によれば、任意の再生源を選択し、この選択した再生源からの再生信号を任意の出力手段に出力させるための所定操作を検出すると、この所定操作に関わる任意の再生源を選択することで、この所定操作に関わる任意の出力手段以外の出力手段から出力されるべき再生信号に変動が生じるか否かを判定し、この再生信号に変動が生じると判定されると、前記所定操作に関わる任意の再生源への切換選択を禁止するようにしたので、例えばフロント側の出力手段（任意の出力手段以外の出力手段）から再生信号を出力中に、リア側から、この再生信号が切り換えられてしまうような再生源の切換選択に関わる操作があったとしても、フロント側の出力手段に出力されるべき再生信号が切り換えられてしまうような変動を確実に防止することができる。
【００２０】
本発明の再生装置は、複数の放送帯域の放送を受信可能とする放送受信手段を含む複数の再生源と、各再生源からの再生信号を出力する複数の出力手段と、前記複数の再生源の内、任意の再生源を選択すると共に、前記複数の放送帯域の内、前記放送受信手段が受信する放送帯域を選択する選択手段と、所定操作に応じて、前記複数の出力手段の内、任意の出力手段に出力すべき、任意の放送帯域の再生信号を選択すべく、前記選択手段を制御する制御手段とを有する再生装置であって、前記制御手段は、前記所定操作を検出すると、この所定操作に関わる任意の出力手段以外の出力手段に出力すべき再生信号が前記放送受信手段からの再生信号の場合、この放送受信手段に関わる放送帯域の切換選択動作を禁止するように、前記選択手段を制御するようにした。
【００２１】
従って、本発明の再生装置によれば、任意の出力手段に出力すべき、任意の放送帯域信号の再生信号を選択する所定操作を検出すると、この所定操作に関わる任意の出力手段以外の出力手段に出力すべき再生信号が放送受信手段からの再生信号の場合、この放送受信手段に関わる放送帯域の切換選択動作を禁止するようにしたので、放送受信手段が、例えば１台でＡＭ及びＦＭチューナを兼用したＡＭ／ＦＭラジオ用チューナ部とした場合、例えばフロント側の出力手段（任意の出力手段以外の出力手段）からＡＭ放送の再生信号を出力中に、リア側から、フロント側のＡＭ放送の再生信号が切り換えられてしまうような再生源（ＦＭモード）の切換選択に関わる操作があったとしても、フロント側の出力手段に出力されるべきＡＭ放送の再生信号が切り換えられてしまうような変動を確実に防止することができる。
【００２２】
本発明の再生装置は、前記制御手段が、前記所定操作を検出すると、この所定操作に関わる任意の出力手段以外の出力手段に出力すべき再生信号が前記放送受信手段からの放送帯域の再生信号の場合、この放送帯域を切り換える、前記所定操作に関わる任意の放送帯域への切換選択動作を禁止するように、前記選択手段を制御するようにした。
【００２３】
従って、本発明の再生装置によれば、前記所定操作を検出すると、この所定操作に関わる任意の出力手段以外の出力手段に出力すべき再生信号が前記放送受信手段からの放送帯域の再生信号の場合、この放送帯域を切り換える、前記所定操作に関わる任意の放送帯域への切換選択動作を禁止するようにしたので、例えばフロント側の出力手段（任意の出力手段以外の出力手段）からＡＭ放送の再生信号を出力中に、リア側から、フロント側のＡＭ放送の再生信号をＦＭ放送の再生信号に切り換えてしまうような再生源（ＦＭモード）の切換選択に関わる操作があったとしても、フロント側の出力手段に出力されるべきＡＭ放送の再生信号がＦＭ放送の再生信号に切り換えられてしまうような変動を確実に防止することができる。
【００２４】
本発明の再生装置は、前記複数の出力手段の内、少なくとも一の出力手段はスピーカ、前記複数の出力手段の内、少なくとも一の出力手段はヘッドホンとした。
【００２５】
従って、本発明の再生装置によれば、少なくとも一の出力手段をスピーカとし、さらに少なくとも一の出力手段をヘッドホンとし、例えばフロント側の出力手段（任意の出力手段以外の出力手段）をスピーカ、リア側の出力手段（任意の出力手段）をヘッドホンとした場合、フロント側の出力手段（任意の出力手段以外の出力手段）から再生信号を出力中に、このフロント側の再生信号が切り換えられてしまうような再生源の切換選択に関わる操作がリア側からあったとしても、フロント側の出力手段に出力されるべき再生信号が切り換えられてしまうような変動を確実に防止することができる。
【００２６】
【発明の実施の形態】
以下、図面に基づいて本発明の再生装置における実施の形態を示すデュアルメディア機能を備えた車載用オーディオシステムについて説明する。図１は本実施の形態を示す車載用オーディオシステムの全体構成を示すシステム構成図である。
【００２７】
図１に示す車載用オーディオシステム１は、車室内のフロント側に配置され、例えばＣＤ再生機能やＡＭ／ＦＭラジオ等の受信機能を含む複数の再生源を備えた本体装置２と、フロント側で本体装置２を操作するフロント側操作部３と、車室内のリア側で本体装置２を遠隔操作するリア側操作部４と、本体装置２と接続し、この本体装置２の再生機能からの音声信号を音声出力するスピーカ５及びヘッドホン６とを有している。
【００２８】
さらに、車載用オーディオシステム１は、本体装置２と外部接続する電子機器、例えば外部ＤＶＤ装置７を有している。
【００２９】
スピーカ５は、フロント側に配置された２台のフロントスピーカ５Ａと、リア側に配置された２台のリアスピーカ５Ｂとで構成している。また、ヘッドホン６は、リア側に配置されるものとする。
【００３０】
また、再生源としては、後述するように、ＣＤ再生機能、衛星放送（以下、単にＳＡＴと称する）ラジオ受信機能やＡＭ／ＦＭラジオ機能を有している。
【００３１】
尚、フロント側操作部３は、フロント側に配置された本体装置２の前面パネルに相当し、リア側操作部４は、リア側に配置されたリモコン操作部に相当するものである。
【００３２】
また、フロント側操作部３及びリア側操作部４には、複数の再生源の内、任意の再生源を選択する再生モード選択キー（以下、単にＭＯＤＥキーと称する）と、予め登録したラジオ放送局の受信周波数をワンタッチ操作で受信することができるプリセットキー（以下、単にＮＥＸＴキーと称する）とを有している。
【００３３】
図２は本実施の形態に関わる本体装置２内部の概略構成を示すブロック図である。
【００３４】
図２に示す本体装置２は、外部ＤＶＤ装置７と接続する外部接続部１１と、複数の再生源として、ＣＤ再生部１２、ＡＭ／ＦＭラジオ用チューナ部１３やＳＡＴラジオ用チューナ部１４と、外部ＤＶＤ装置７、ＣＤ再生部１２、ＡＭ／ＦＭラジオ用チューナ部１３及びＳＡＴラジオ用チューナ部１４を含めた複数の再生源の内、スピーカ５へ出力する音声信号の再生源を選択するスピーカ出力切換部１５と、複数の再生源の内、ヘッドホン６へ出力する音声信号の再生源を選択するヘッドホン出力切換部１６と、スピーカ出力切換部１５で選択した再生源からスピーカ５への音声信号をミュート制御するスピーカ側ミュート回路１７と、リアスピーカ５Ｂへの音声信号をミュート制御するリアスピーカ側ミュート回路１８と、ヘッドホン出力切換部１６で選択した再生源からヘッドホン６への音声信号をミュート制御するヘッドホン側ミュート回路１９と、様々な情報を表示する表示部２０と、この本体装置２全体を制御するマイコン２１とを有している。
【００３５】
ＡＭ／ＦＭラジオ用チューナ部１３は、ＡＭチューナ及びＦＭチューナを兼ねて、１台のチューナでＡＭ放送及びＦＭ放送を受信するものである。
【００３６】
本体装置２は、デュアルメディア機能を有し、フロント側操作部３又はリア側操作部４からの所定操作に応じて、システム設定モードとしてのシングルモード又はデュアルモードに切換設定可能である。
【００３７】
シングルモードとは、複数の再生源の内、一の再生源からの音声信号をスピーカ５からのみ音声出力する設定モードである。
【００３８】
デュアルモードとは、複数の再生源の内、一の再生源からの音声信号をスピーカ５で音声出力しながら、同一の再生源若しくは他の再生源からの音声信号をヘッドホン６で音声出力する設定モードである。
【００３９】
このデュアルモードには、通常デュアルモードと特殊デュアルモードとがあり、通常デュアルモードとは、本体装置２の電源がＯＮ中にデュアルモードを受け付けた場合に設定されるデュアルモードであり、特殊デュアルモードとは、本体装置２の電源がＯＦＦ中にリア側操作部４又は外部ＤＶＤ装置７からの電源起動要求信号に応じて本体装置２の電源を立ち上げた際に設定されるデュアルモードである。尚、これら通常デュアルモード及び特殊デュアルモードは、個々に設定される別個のシステム設定モードというものではなく、一つのデュアルモードであり、説明の便宜上、設定条件に応じて通常デュアルモードと特殊デュアルモードとを分けて表現したにすぎないものである。
【００４０】
尚、外部ＤＶＤ装置７からの電源起動要求信号とは、例えば外部ＤＶＤ装置７の電源投入や、外部ＤＶＤ装置７のディスク挿入、外部ＤＶＤ装置７の再生操作に応じて出力する信号であり、リア側操作部４からの電源起動要求信号とは、リア側操作部４から本体装置２への電源起動要求に応じて出力する信号である。
【００４１】
また、本体装置２は、複数の再生モードを有し、前述したＭＯＤＥキーで切換選択可能である。尚、再生モードとしては、ＣＤ再生部１２を動作選択するＣＤモードと、衛星放送を受信するＳＡＴラジオ用チューナ部１４を動作選択するＳＡＴモードと、ＡＭ放送を受信するＡＭ／ＦＭラジオ用チューナ部１３を動作選択するＡＭモードと、ＦＭ放送を受信するＡＭ／ＦＭラジオ用チューナ部１３を動作選択するＦＭモードと、外部ＤＶＤ装置７を動作選択するＤＶＤモードとがある。
【００４２】
図３は本実施の形態に関わる本体装置２のマイコン２１内部の概略構成を示すブロック図である。
【００４３】
図３に示すマイコン２１は、外部接続部１１を通じて外部ＤＶＤ装置７を監視する外部接続監視部３１と、例えばＣＤモード、ＳＡＴモード、ＡＭモード、ＦＭモードやＤＶＤモード等の再生モードに関わる設定内容を記憶した再生モード設定メモリ３２と、例えばＭＯＤＥキーのモード選択操作に応じて再生モードに対応した設定内容を再生モード設定メモリ３２から読み出し、この設定内容に基づいて同再生モードを設定する再生モード設定部３３と、この再生モード設定部３３にて設定した再生モードに基づいてスピーカ出力切換部１５及びヘッドホン出力切換部１６を制御する出力切換制御部３４と、スピーカ側ミュート回路１７、リアスピーカ側ミュート回路１８及びヘッドホン側ミュート回路１９を制御するミュート制御部３５と、例えばＮＥＸＴキーのプリセットチャンネル（以下、単にＰｃｈと称する）選択操作に応じて受信可能とする各ラジオ放送局の受信周波数を記憶したＰｃｈメモリ３６と、フロント側操作部３及びリア側操作部４からの入力操作を検出する操作検出部３７と、表示部２０を表示制御する表示制御部３８と、例えばシングルモードやデュアルモード等のシステム設定モードに関わる設定内容を記憶したモード設定記憶部３９と、このモード設定記憶部３９に記憶した設定内容に基づいてシステム設定モードを設定するモード設定部４０と、このマイコン２１全体を制御する制御部４１とを有している。
【００４４】
再生モード設定部３３では、操作検出部３７を通じてフロント側操作部３及びリア側操作部４からのＭＯＤＥキーのモード選択操作を監視し、このモード選択操作の再生モードに対応した設定内容を再生モード設定メモリ３２から読み出し、この設定内容に基づいて同再生モードを設定するものである。尚、ＭＯＤＥキーはトグル方式を採用し、例えばＡＭモード→ＦＭモード→ＳＡＴモード→ＣＤモード→ＤＶＤモード→ＡＭモード→ＦＭモード…といった順序で再生モードを選択するものである。
【００４５】
Ｐｃｈメモリ３６は、図４に示すように、例えば６個のメモリ領域Ｐｃｈ−１〜Ｐｃｈ−６で構成し、各メモリ領域にはＡＭ放送、ＦＭ放送やＳＡＴ放送の所定放送局に関わる受信周波数が夫々記憶されている。例えばＰｃｈ−１ではＡＭ放送局の受信周波数、Ｐｃｈ−２ではＦＭ放送局の受信周波数、Ｐｃｈ−３ではＡＭ放送局の受信周波数、Ｐｃｈ−４ではＳＡＴ放送局の受信周波数、Ｐｃｈ−５ではＡＭ放送局の受信周波数、Ｐｃｈ−６ではＦＭ放送局の受信周波数が記憶されているものとする。
【００４６】
制御部４１では、操作検出部３７を通じてフロント側操作部３及びリア側操作部４からのＮＥＸＴキーのＰｃｈ選択操作を監視し、このＰｃｈ選択操作のＰｃｈに記憶した受信周波数を読み出し、ＡＭ／ＦＭラジオ用チューナ部１３又はＳＡＴラジオ用チューナ部１４を通じて、この受信周波数の受信動作を実行するものである。尚、ＮＥＸＴキーはトグル方式を採用し、例えばＰｃｈ−１→Ｐｃｈ−２→Ｐｃｈ−３→Ｐｃｈ−４→Ｐｃｈ−５→Ｐｃｈ−６→Ｐｃｈ−１→Ｐｃｈ−２…といった順序でＰｃｈを選択するものである。
【００４７】
モード設定記憶部３９は、シングルモードの設定内容を記憶したシングルモード設定メモリ３９Ａと、デュアルモードの設定内容を記憶したデュアルモード設定メモリ３９Ｂと、本体装置２の電源ＯＦＦ直前に設定していたフロント側の再生モードをラスト再生源として記憶するラストモード設定メモリ３９Ｃとを有している。
【００４８】
尚、ラストモード設定メモリ３９Ｃは、本体装置２の電源がＯＦＦされると、この電源ＯＦＦ直前のスピーカ５で音声出力していた最後の再生モードをラスト再生源として記憶するものである。
【００４９】
シングルモード設定メモリ３９Ａに記憶するシングルモードの設定内容としては、フロントスピーカ５Ａ及びリアスピーカ５Ｂからの音声出力のみを有効とする設定モードであることから、スピーカ側ミュート回路１７及びリアスピーカ側ミュート回路１８をミュートＯＦＦ、ヘッドホン側ミュート回路１９をミュートＯＮとしている。
【００５０】
デュアルモード設定メモリ３９Ｂには、通常デュアルモード及び特殊デュアルモードに関わる設定内容が記憶されており、通常デュアルモードの設定内容としては、フロントスピーカ５Ａ及びヘッドホン６からの音声出力を異なる再生源若しくは同一の再生源とし、これらフロントスピーカ５Ａ及びヘッドホン６からの音声出力を有効とする設定モードであることから、スピーカ側ミュート回路１７をミュートＯＦＦ、リアスピーカ側ミュート回路１８をミュートＯＮ、ヘッドホン側ミュート回路１９をミュートＯＦＦとしている。尚、フロント側の出力手段はフロントスピーカ５Ａのみ、リア側の出力手段はヘッドホン６のみとなる。
【００５１】
また、特殊デュアルモードの設定内容としては、フロントスピーカ５Ａ及びヘッドホン６からの音声出力を異なる再生源若しくは同一の再生源とし、ヘッドホン６からの音声出力のみを有効とする設定モードであることから、スピーカ側ミュート回路１７及びリアスピーカ側ミュート回路１８をミュートＯＮ、ヘッドホン側ミュート回路１９をミュートＯＦＦとしている。
【００５２】
モード設定部４０は、デュアルモード設定メモリ３９Ｂ及びシングルモード設定メモリ３９Ａの設定内容に基づいてシステム設定モードを設定し、さらに、ミュート制御部３５では、その設定内容に基づいて、スピーカ側ミュート回路１７、リアスピーカ側ミュート回路１８及びヘッドホン側ミュート回路１９を制御するものである。
【００５３】
出力切換制御部３４は、複数の再生源の内、指定の再生源からの音声信号を出力選択するスピーカ出力切換部１５及びヘッドホン出力切換部１６を制御するものである。
【００５４】
尚、請求項記載の再生装置は本体装置２、再生源はＣＤ再生部１２（ＣＤモード）、ＡＭ／ＦＭラジオ用チューナ部１３（ＡＭモード及びＦＭモード）、ＳＡＴラジオ用チューナ部１４（ＳＡＴモード）及び外部ＤＶＤ装置７（ＤＶＤモード）、出力手段はスピーカ５及びヘッドホン６、選択手段は、スピーカ出力切換部１５、ヘッドホン出力切換部１６、再生モード設定部３３及び制御部４１、制御手段は制御部４１、変動判定手段は制御部４１、選択禁止手段は制御部４１、放送帯域はＡＭ放送及びＦＭ放送に相当するものである。
【００５５】
次に本実施の形態を示す車載用オーディオシステム１の動作について説明する。
【００５６】
本体装置２のマイコン２１は、例えばシングルモード中にＤＶＤモードが設定されると、出力切換制御部３２では、外部ＤＶＤ装置７からの音声信号を選択出力するようにスピーカ出力切換部１５を制御する。
【００５７】
さらに、ミュート制御部３３では、シングルモード設定メモリ３６Ａに記憶中の設定内容に基づいて、スピーカ側ミュート回路１７及びリアスピーカ側ミュート回路１８をミュートＯＦＦし、ヘッドホン側ミュート回路１９をミュートＯＮする。
【００５８】
つまり、本体装置２では、外部ＤＶＤ装置７からの音声信号をフロントスピーカ５Ａ及びリアスピーカ５Ｂからのみ音声出力し、ヘッドホン６からは音声出力しない。
【００５９】
また、本体装置２のマイコン２１は、フロント側をＣＤモード、リア側をＤＶＤモードに設定する通常デュアルモードが設定されると、出力切換制御部３２では、ＣＤ再生部１２からの音声信号をフロント側に選択出力するようにスピーカ出力切換部１５を制御し、外部ＤＶＤ装置７からの音声信号をリア側に選択出力するようにヘッドホン出力切換部１６を制御する。
【００６０】
さらに、ミュート制御部３３では、デュアルモード設定メモリ３６Ｂに記憶中の通常デュアルモードの設定内容に基づいて、スピーカ側ミュート回路１７をミュートＯＦＦ、リアスピーカ側ミュート回路１８をミュートＯＮ、ヘッドホン側ミュート回路１９をミュートＯＦＦする。
【００６１】
本体装置２では、リアスピーカ５Ｂからは音声出力することなく、フロントスピーカ５Ａからのみ、ＣＤ再生部１２からの音声信号を音声出力し、ヘッドホン６からは外部ＤＶＤ装置７からの音声信号を音声出力することができる。つまり、フロント側ではＣＤ再生部１２からの音声信号、リア側では外部ＤＶＤ装置７からの音声信号を音声出力することになる。
【００６２】
また、本体装置２のマイコン２１は、リア側をＤＶＤモードに設定する特殊デュアルモードが設定されると、出力切換制御部３２は、ラストモード設定メモリ３６Ｃに記憶中のラスト再生源に基づいて再生モードを選択し、この音源からの音声信号をフロント側に選択出力するようにスピーカ出力切換部１５を制御すると共に、外部ＤＶＤ装置７からの音声信号をリア側に選択出力するようにヘッドホン出力切換部１６を制御する。
【００６３】
さらに、ミュート制御部３３では、デュアルモード設定メモリ３６Ｂに記憶中の特殊デュアルモードの設定内容に基づいて、スピーカ側ミュート回路１７及びリアスピーカ側ミュート回路１８をミュートＯＮ、ヘッドホン側ミュート回路１９をミュートＯＦＦする。
【００６４】
本体装置２では、フロントスピーカ５Ａ及びリアスピーカ５Ｂからは音声出力することなく、ヘッドホン６からのみ、外部ＤＶＤ装置７からの音声信号を音声出力することができる。つまり、リア側では、外部ＤＶＤ装置７からの音声信号を音声出力することになる。
【００６５】
次に本体装置２のリア側操作受付処理について説明する。図５は本体装置２のリア側操作受付処理に関わるマイコン２１の処理動作を示すフローチャートである。
【００６６】
図５に示すリア側操作受付処理とは、リア側操作部４からＭＯＤＥキーやＮＥＸＴキー等がキー操作された場合におけるキー受付処理である。
【００６７】
図４においてマイコン２１の制御部４１は、操作検出部３７を通じてリア側操作部４からのキー操作を検出したか否かを判定する（ステップＳ１１）。
【００６８】
制御部４１は、リア側操作部４からのキー操作を検出したのであれば、そのキー操作はＮＥＸＴキーであるか否かを判定する（ステップＳ１２）。
【００６９】
制御部４１は、ＮＥＸＴキーのキー操作でないと判定されると、そのキー操作はＭＯＤＥキーであるか否かを判定する（ステップＳ１３）。
【００７０】
制御部４１は、ＭＯＤＥキーのキー操作であると判定されると、現在のシステム設定モードがシングルモードであるか否かを判定する（ステップＳ１４）。
【００７１】
制御部４１は、シングルモードでないと判定されると、デュアルモードであると判断し、フロント側がＡＭ／ＦＭラジオ用チューナ部１３を選択したラジオモード（ＡＭモード又はＦＭモード）中であるか否かを判定する（ステップＳ１５）。
【００７２】
尚、フロント側が選択したモードとは、デュアルモード中においてフロント側搭乗者が選択した再生モードに相当するものであり、例えばフロント側がＡＭモード中の場合には、ＡＭ／ＦＭラジオ用チューナ部１３にてＡＭ放送をバンド選択し、このＡＭ／ＦＭラジオ用チューナ部１３にて受信したＡＭ放送の音声信号をフロントスピーカ５Ａから音声出力しているものとする。
【００７３】
制御部４１は、ステップＳ１５にてフロント側がラジオモード中であると判定されると、指定された再生モードがフロント側のバンド切換を伴うモードであるか否かを判定する（ステップＳ１６）。
【００７４】
尚、指定された再生モードとは、例えばリア側操作部４のＭＯＤＥキーで選択された再生モードに相当するものである。また、例えばフロント側がＡＭモード中にリア側でＦＭモードが設定されると、従来ならば、フロント側はＡＭモードからＦＭモードに切り換えられてしまう。つまり、フロント側のバンド切換を伴うモードとは、フロント側がＡＭモードの場合はＦＭモード、フロント側がＦＭモードの場合はＡＭモードということになる。
【００７５】
制御部４１は、ステップＳ１６にて指定された再生モードがフロント側のバンド切換を伴うモードであると判定されると、この再生モードの選択を禁止し、再生モードの選択順序に基づいて次の再生モードを指定すべく、再生モードスキップ動作を実行し（ステップＳ１７）、この再生モードスキップ動作で指定した再生モードがフロント側のバンド切換を伴うモードであるか否かを判断すべく、ステップＳ１６に移行する。
【００７６】
尚、ステップＳ１７の再生モードスキップ動作とは、フロント側がＡＭモード中にリア側からＦＭモードが指定された場合、前述したように再生モードの選択順序はＡＭモード→ＦＭモード→ＳＡＴモード→ＣＤモード→…ということなることから、ＦＭモードの選択を禁止して、次のＳＡＴモードを指定することになる。また、リア側でＳＡＴモードが設定されたとしても、ＳＡＴモードは、ＡＭ／ＦＭラジオ用チューナ部１３ではなく、ＳＡＴラジオ用チューナ部１４で衛星放送を受信することになるから、フロント側のＡＭモードが切り換えられてしまうようなことはない。
【００７７】
また、制御部４１の再生モード設定部３３は、ステップＳ１５にてフロント側がラジオモード中でないと判定されると、又はステップＳ１６にて指定された再生モードがフロント側のバンド切換を伴うモードでないと判定されると、その指定された再生モードをリア側の再生モードとして設定することで（ステップＳ１８）、この処理動作を終了する。尚、リア側が設定したモードとは、デュアルモード中においてリア側で選択した再生モードに相当するものである。
【００７８】
制御部４１の再生モード設定部３３は、ステップＳ１４にて現在のシステム設定モードがシングルモードであると判定されると、フロント側及びリア側の再生モードを指定された再生モードに設定することで（ステップＳ１９）、この処理動作を終了する。
【００７９】
また、制御部４１は、ステップＳ１２にてＮＥＸＴキーのキー操作であると判定されると、現在のシステム設定モードがシングルモードであるか否かを判定する（ステップＳ２０）。
【００８０】
制御部４１は、現在のシステム設定モードがシングルモードでないと判定されると、デュアルモードであると判断し、フロント側がラジオモード（ＡＭモード又はＦＭモード）中であるか否かを判定する（ステップＳ２１）。
【００８１】
制御部４１は、フロント側がラジオモード中であると判定されると、Ｐｃｈ−１〜Ｐｃｈ−６内に同一の放送バンドのＰｃｈがあるか否かを判定する（ステップＳ２１Ａ）。制御部４１は、同一の放送バンドのＰｃｈがあると判定されると、指定されたＰｃｈの放送バンドがフロント側と同一バンドであるか否かを判定する（ステップＳ２２）。尚、指定されたＰｃｈとは、例えばリア側操作部４のＮＥＸＴキーで選択されたＰｃｈに対応する放送バンド、例えばＰｃｈ−１の場合はＡＭ放送に相当するものである。
【００８２】
制御部４１は、指定されたＰｃｈの放送バンドがフロント側と同一バンドであると判定されると、ＡＭ／ＦＭラジオ用チューナ部１３又はＳＡＴラジオ用チューナ部１４を通じて、この指定されたＰｃｈの受信周波数に基づいて受信動作を実行することで（ステップＳ２３）、この処理動作を終了する。
【００８３】
尚、指定されたＰｃｈの放送バンドがフロント側と同一バンドとは、例えばフロント側がＡＭモード中に、リア側でＡＭ放送の受信周波数のＰｃｈが指定された場合、つまり、フロント側とリア側とで同一の放送バンドが指定された場合である。
【００８４】
制御部４１は、ステップＳ２１ＡにてＰｃｈ−１〜Ｐｃｈ−６内に同一の放送バンドのＰｃｈがないと判定されると、この処理動作を終了する。
【００８５】
制御部４１は、ステップＳ２２にて指定されたＰｃｈの放送バンドがフロント側と同一の放送バンドでないと判定されると、指定されたＰｃｈの放送バンドの選択を禁止し、Ｐｃｈの選択順序に基づいて次のＰｃｈを指定すべく、Ｐｃｈスキップ動作を実行し（ステップＳ２４）、このＰｃｈスキップ動作で指定したＰｃｈの放送バンドがフロント側の放送バンドと同一であるか否かを判断すべく、ステップＳ２２に移行する。
【００８６】
尚、例えばフロント側がＡＭモード中にリア側でＰｃｈ−２（ＦＭ放送の受信周波数）が指定された場合、従来ならば、フロント側のＡＭモードがＦＭモードに切り換えられてしまう。そこで、ステップＳ２４のＰｃｈスキップ動作では、このＰｃｈ−２のＦＭモードの選択を禁止し、前述したＰｃｈの選択順序（Ｐｃｈ−１→Ｐｃｈ−２→Ｐｃｈ−３→…）に基づいて、次のＰｃｈ−３を指定することになる。
【００８７】
また、制御部４１は、ステップＳ２１にてフロント側がラジオモード中でないと判定されると、ＡＭ／ＦＭラジオ用チューナ部１３又はＳＡＴラジオ用チューナ部１４を通じて、その指定されたＰｃｈの受信周波数に基づいてリア側出力用の受信動作を実行することで（ステップＳ２５）、この処理動作を終了する。
【００８８】
また、制御部４１は、ステップＳ２０にて現在のシステム設定モードがシングルモードであると判定されると、ＡＭ／ＦＭラジオ用チューナ部１３又はＳＡＴラジオ用チューナ部１４を通じて、フロント側及びリア側を、指定されたＰｃｈの受信周波数に基づいて受信動作を実行することで（ステップＳ２６）、この処理動作を終了する。
【００８９】
また、制御部４１は、ステップＳ１３にてＭＯＤＥキーのキー操作でないと判定されると、他のキー処理を実行することで（ステップＳ２７）、この処理動作を終了する。
【００９０】
図５に示すリア側操作受付処理によれば、デュアルモードで、例えばフロント側がＡＭモード中に、リア側操作部４からＦＭモードに設定要求するモード選択操作がなされたとしても、リア側のＦＭモード選択を禁止し、次のモードであるＳＡＴモードに設定するようにしたので、リア側操作部４の再生モード選択操作で、フロント側で設定中の再生モード（ＡＭモード）が切り換えられてしまうような事態を確実に防止することができる。
【００９１】
また、リア側操作受付処理によれば、デュアルモードで、フロント側がＡＭモード中に、リア側操作部４からＦＭ放送を受信要求するＰｃｈ選択操作がなされたとしても、リア側のＦＭモード選択を禁止し、フロント側で設定中のＡＭモードが切り換えられることのないモード、例えばＡＭ放送や衛星放送の受信周波数を登録したＰｃｈを選択するようにしたので、リア側操作部４のＰｃｈ選択操作で、フロント側で設定中の再生モード（ＡＭモード）が切り換えられてしまうような事態を確実に防止することができる。
【００９２】
本実施の形態によれば、デュアルモードで、例えばフロント側がＡＭモード中に、リア側操作部４からＦＭモードに設定要求するモード選択操作がなされたとしても、リア側でのＦＭモード選択を禁止するようにしたので、リア側操作部４の再生モード選択操作で、フロント側で設定中の再生モード（ＡＭモード）が切り換えられてしまうような事態を確実に防止することができる。
【００９３】
本実施の形態によれば、デュアルモードで、例えばフロント側がＡＭモード中に、リア側操作部４からＦＭ放送を受信要求するＰｃｈ選択操作がなされたとしても、リア側のＦＭモード選択を禁止するようにしたので、リア側操作部４のＰｃｈ選択操作で、フロント側で設定中の再生モード（ＡＭモード）が切り換えられてしまうような事態を確実に防止することができる。
【００９４】
尚、上記実施の形態においては、デュアルモードで、フロント側がＡＭモード中に、リア側操作部４からリア側をＦＭモードに設定する操作がなされると、リア側のＦＭモード選択を禁止するようにしたが、本発明の趣旨から考えると、デュアルモードでフロント側がＦＭモード中に、リア側操作部４からリア側をＡＭモードに設定する操作がなされた場合には、リア側のＡＭモード選択を禁止するようにしても良いことは言うまでもない。
【００９５】
また、上記実施の形態においては、フロント側ユーザの立場にたって、デュアルモードでフロント側がＡＭモード中に、リア側をＦＭモードに設定する操作がなされると、リア側のＦＭモード選択を禁止するようにしたが、本発明の趣旨から考えると、リア側ユーザの立場にたって、デュアルモードでリア側がＡＭモード中に、フロント側をＦＭモードに設定する操作がなされた場合には、フロント側のＦＭモード選択を禁止するようにしても良いことは言うまでもない。
【００９６】
また、上記実施の形態においては、再生モードとしてＡＭモード、ＦＭモード、ＳＡＴモード、ＣＤモードやＤＶＤモード等の音声信号を提供する再生モードを例にあげて説明したが、例えば映像信号を提供するテレビモードを加えたとしても同様の効果が得られることは言うまでもない。尚、この車載用オーディオシステム１にテレビモードを加えた場合、例えば本体装置２にテレビ用チューナ部を内蔵して、このテレビ用チューナにて受信した映像信号をディスプレイ部に映像出力する構成とすればよい。
【００９７】
また、上記実施の形態においては、図５に示すステップＳ２２にて指定されたＰｃｈの放送バンドがフロント側と同一バンドであると判定されると、ステップＳ２３にてリア側で指定されたＰｃｈの受信周波数を受信するようにしたが、フロント側で受信中の受信周波数（番組）とリア側で受信する受信周波数（番組）が同一の場合には問題ないが、フロント側で受信中の受信周波数がリア側で受信する受信周波数が異なる場合にはフロント側の受信周波数が切り換えられてしまう。そこで、フロント側とリア側とが同一バンドであっても、受信周波数が異なる場合にはリア側でのＰｃｈの受信周波数の指定を禁止するようにしても良い。
【００９８】
また、上記実施の形態においては、フロント側で設定中の再生モードがリア側の再生モード選択操作によって、フロント側で設定中の再生モードが切り換えられてしまう事態が生じる再生モードとして、ＡＭモード及びＦＭモードを例にあげて説明したが、このような事態が生じうる再生モードであれば、本発明を適用することで同様の効果が得られることは言うまでもない。
【００９９】
また、上記実施の形態においては、Ｐｃｈメモリ３６の各メモリ領域Ｐｃｈ−１〜Ｐｃｈ−６にラジオ放送の受信周波数を記憶するようにしたが、例えば６枚のディスクＤＩＳＣ−１〜ＤＩＳＣ−６を収容、再生可能とするディスクチェンジャ装置を本体装置２に外部接続し、このディスクチェンジャ装置内の各ディスクをＰｃｈメモリ３６の各メモリ領域に割り当てる、例えばＰｃｈ−１にはディスクＤＩＳＣ−１、Ｐｃｈ−２にはディスクＤＩＳＣ−２、Ｐｃｈ−３にはディスクＤＩＳＣ−３、Ｐｃｈ−４にはディスクＤＩＳＣ−４、Ｐｃｈ−５にはディスクＤＩＳＣ−５、Ｐｃｈ−６にはディスクＤＩＳＣ−６を割り当て、例えばＮＥＸＴキーでＰｃｈ−３が選択されると、ディスクチェンジャ装置内のディスクＤＩＳＣ−３を再生するシステム構成をとるとする。
【０１００】
このようなＰｃｈメモリ３６にディスクチェンジャ装置のディスクＤＩＳＣ−１〜ＤＩＳＣ−６を割り当てた場合、例えばフロント側ではＤＩＳＣ−２を再生中に、リア側でＤＩＳＣ−３の再生を選択要求するＰｃｈ選択操作があると、フロント側で再生中のＤＩＳＣ−２がＤＩＳＣ−３に切り換えられてしまう。そこで、このような事態に対処するために、本発明を適用して、フロント側でＤＩＳＣ−２を再生中に、リア側でＤＩＳＣ−２以外のディスク、例えばＤＩＳＣ−３の再生を選択要求するＰｃｈ選択操作があった場合には、リア側のＤＩＳＣ選択を禁止することで、フロント側で再生中のディスクが他のディスクに切り換えられてしまうような事態を確実に防止することができる。
【０１０１】
また、上記実施の形態においては、再生源の再生機能としてＣＤやＤＶＤ等を例にあげて説明したが、ＭＤ等の記録媒体であっても同様の効果が得られることは言うまでもない。
【０１０２】
また、上記実施の形態においては、フロント側のユーザにリア側の音声が漏れないようにするために、リア側の出力手段として、ヘッドホン６を例にあげて説明したが、フロント側のユーザに音声が漏れることなく、リア側のユーザにのみ音声が聞こえるような指向性の高いスピーカを、リア側の出力手段としても、同様の効果が得られることは言うまでもない。
【０１０３】
【発明の効果】
上記のように構成された本発明の再生装置によれば、任意の再生源を選択し、この選択した再生源からの再生信号を任意の出力手段に出力させるための所定操作を検出すると、この所定操作に関わる任意の再生源を選択することで、この所定操作に関わる任意の出力手段以外の出力手段から出力されるべき再生信号に変動が生じるか否かを判定し、この再生信号に変動が生じると判定されると、前記所定操作に関わる任意の再生源への切換選択を禁止するようにしたので、例えばフロント側の出力手段（任意の出力手段以外の出力手段）から再生信号を出力中に、リア側から、この再生信号が切り換えられてしまうような再生源の切換選択に関わる操作があったとしても、フロント側の出力手段に出力されるべき再生信号が切り換えられてしまうような変動を確実に防止することができる。
【０１０４】
本発明の再生装置によれば、任意の出力手段に出力すべき、任意の放送帯域信号の再生信号を選択する所定操作を検出すると、この所定操作に関わる任意の出力手段以外の出力手段に出力すべき再生信号が放送受信手段からの再生信号の場合、この放送受信手段に関わる放送帯域の切換選択動作を禁止するようにしたので、放送受信手段が、例えば１台でＡＭ及びＦＭチューナを兼用したＡＭ／ＦＭラジオ用チューナ部とした場合、例えばフロント側の出力手段（任意の出力手段以外の出力手段）からＡＭ放送の再生信号を出力中に、リア側から、フロント側のＡＭ放送の再生信号が切り換えられてしまうような再生源（ＦＭモード）の切換選択に関わる操作があったとしても、フロント側の出力手段に出力されるべきＡＭ放送の再生信号が切り換えられてしまうような変動を確実に防止することができる。
【図面の簡単な説明】
【図１】本発明の再生装置に関わる実施の形態を示す車載用オーディオシステムの全体構成を示すシステム構成図である。
【図２】本実施の形態に関わる本体装置内部の概略構成を示すブロック図である。
【図３】本実施の形態に関わる本体装置のマイコン内部の概略構成を示すブロック図である。
【図４】本実施の形態に関わるＰｃｈメモリのメモリ内容の一例を示す説明図である。
【図５】本実施の形態に関わる本体装置のリア側操作受付設定処理に関わるマイコンの処理動作を示すフローチャートである。
【図６】一般的なデュアルメディア機能を備えた車載用オーディオシステムの全体構成を示すシステム構成図である。
【符号の説明】
１　車載用オーディオシステム
２　本体装置（再生装置）
５　スピーカ（出力手段）
６　ヘッドホン（出力手段）
７　外部ＤＶＤ装置（再生源）
１２　ＣＤ再生部（再生源）
１３　ＡＭ／ＦＭラジオ用チューナ部（再生源）
１４　ＳＡＴラジオ用チューナ部（再生源）
１５　スピーカ出力切換部（選択手段）
１６　ヘッドホン出力切換部（選択手段）
３３　再生モード設定部（選択手段）
４１　制御部（選択手段、変動判定手段、選択禁止手段、制御手段）
【図１】
2004118941.tif 000003
【図２】
2004118941.tif 000004
【図３】
2004118941.tif 000005
【図４】
2004118941.tif 000006
【図５】
2004118941.tif 000007
【図６】
2004118941.tif 000008